(57)【要約】      （修正有）【課題】電子レンジによる加熱、調理において、食材にマイクロ波が特定方向から強く照射されることによる加熱むらを減少する。【解決手段】マイクロ波が電子レンジ用調理容器とターンテーブルあるいは庫内下面との間を自由に通過出来るように、容器の下面に高さ１ｍｍ以上の足を、２個以上つける。容器の下部の隙間をマイクロ波が自由に通過することによって、調理容器の内部の温度上昇がより均一かつ効率的になり食材全面からの加熱と均等な加熱調理を可能にする。【選択図】図１
2008012260.tif 000002
【特許請求の範囲】
【請求項１】
料理用食材を均一に加熱することを目的として、マイクロ波が電子レンジ用調理容器とターンテーブルあるいは庫内下面との間を自由に通過出来るように、容器の下面に高さ１ｍｍ以上の足を、２個以上つけた電子レンジ用調理容器。
【発明の詳細な説明】
【技術分野】
【０００１】本発明は、電子レンジによる料理の調理において、調理容器の内部の温度上昇がより均一かつ効率的になるように容器下部に小さい足をつけた調理容器の発明である。
この特許願においてマイクロ波とは、実用化されている電子レンジに使用されている２，４５０，０００，０００ヘルツ程度の電磁波をいう。
電子レンジ用調理容器の素材は、誘電損失係数の低い耐熱ガラス、陶磁器、プラスティック等が使用される。
電子レンジ用調理容器の形状は、円形または方形で適度の高さをもった平たい形状が実用的で普通に使われている。
電子レンジにかける前の加熱前料理は、４０％ないし９５％の水分を含む。
水の誘電損失係数が高いことが発熱の源となり、調理が進む。
料理には３％〜２０％の食塩を含み、誘電損失係数は水より高くなる。マイクロ波の半減深度は１ｃｍ程度である。【０００２】
【表１】
2008012260.tif 000003
【背景技術】
【０００３】電子レンジの形状は、大別してターンテーブルつきとターンテーブルなしとに分かれる。
ターンテーブル付はマイクロ波の発信装置が壁面上部についている。
食材は上面が強く熱せられる。
ターンテーブルなしは、マイクロ波の発信装置が下面についている。
食材は下面が強く熱せられる。
加熱前料理のマイクロ波の半減深度は１ｃｍ程度であり、料理用の食材を入れた調理容器をターンテーブルの上、あるいは直接庫内の下面におき食材の加熱むらを容認して調理していた。
【発明の開示】
【発明が解決しようとする課題】
【０００４】電子レンジは電波むらが問題である。
電子レンジに使われているマイクロ波は波長が１２ｃｍと長いので、庫内で６ｃｍごとに電波むらが発生する。
平たい容器を下台の上に置くと、容器と下台が密着して隙間に誘電損失係数＝０の空気の存在がなくなり、マイクロ波の通りが悪くなり、加熱むらを起こす。
ターンテーブルつきであっても、なしであっても、電子レンジにとって加熱むらは宿命的な問題であった。
【課題を解決するための手段】
【０００５】平たい形状の電子レンジ用調理容器の下面に、高さ１ｍｍ以上の足をつける。
足の形状は下面の周囲全面を取り巻く必要はなく、安定性を確保するために中心角で１２０度離れた３点でよい。
一例として、円形直径内径２１ｃｍ、深さ内径５ｃｍ、容器厚さ４ｍｍ
足高さ３ｍｍ、足直径１ｃｍ×３ｃｍの楕円形、３個【０００６】この容器に食材を入れ電子レンジ庫内に入れる。
ターンテーブルありであっても、なしであっても、電子レンジ用調理容器とターンテーブルあるいは庫内下面との間に３ｍｍ程度の空間ができる。
空気の誘電損失係数は０であるから、マイクロ波はこの空間を自由に通過し、食材の全面から加熱することが出来る。
【発明の効果】
【０００７】  以上述べたごとく、本発明方法によれば、加熱むらの減少が実用的に効果あるものとして認められた。
商品化して好評を得ている。
平成１７年の販売実績は、４４，２２４個である。
【請求項１について説明】
【０００８】この調理容器が安定するための足は、中心角で１２０度離れた位置に３点、形状は丸い点であれば十分であり、合理的である。
しかし、外径に近いところで円周にそって、適当な長さのある足であれば２点で目的を実現できるので、請求項１で「２個以上」とした。
【図１】
2008012260.tif 000004
【手続補正書】
【提出日】平成18年9月7日(2006.9.7)
【手続補正１】
【補正対象書類名】明細書
【補正対象項目名】全文
【補正方法】変更
【補正の内容】
【発明の詳細な説明】
【技術分野】
【０００１】本発明は、電子レンジによる料理の調理において、調理容器の内部の温度上昇がより均一かつ効率的になるように容器下部に小さい足をつけた調理容器の発明である。
この特許願においてマイクロ波とは、実用化されている電子レンジに使用されている２，４５０，０００，０００ヘルツ程度の電磁波をいう。
電子レンジ用調理容器の素材は、誘電損失係数の低い耐熱ガラス、陶磁器、プラスティック等が使用される。
電子レンジ用調理容器の形状は、円形または方形で適度の高さをもった平たい形状が実用的で普通に使われている。
電子レンジにかける前の加熱前料理は、４０％ないし９５％の水分を含む。
水の誘電損失係数が高いことが発熱の源となり、調理が進む。
料理には３％〜２０％の食塩を含み、誘電損失係数は水より高くなる。マイクロ波の半減深度は１ｃｍ程度である。【０００２】
【表１】
2008012260.tif 000005
2008012260.tif 000006
【背景技術】
【０００３】電子レンジの形状は、大別してターンテーブルつきとターンテーブルなしとに分かれる。
ターンテーブル付はマイクロ波の発信装置が壁面上部についている。
食材は上面が強く熱せられる。
ターンテーブルなしは、マイクロ波の発信装置が下面についている。
食材は下面が強く熱せられる。
加熱前料理のマイクロ波の半減深度は１ｃｍ程度であり、料理用の食材を入れた調理容器をターンテーブルの上、あるいは直接庫内の下面におき食材の加熱むらを容認して調理していた。
【発明の開示】
【発明が解決しようとする課題】
【０００４】電子レンジは電波むらが問題である。
電子レンジに使われているマイクロ波は波長が１２ｃｍと長いので、庫内で６ｃｍごとに電波むらが発生する。
平たい容器を下台の上に置くと、容器と下台が密着して隙間に誘電損失係数＝０の空気の存在がなくなり、マイクロ波の通りが悪くなり、加熱むらを起こす。
ターンテーブルつきであっても、なしであっても、電子レンジにとって加熱むらは宿命的な問題であった。
【課題を解決するための手段】
【０００５】平たい形状の電子レンジ用調理容器の下面に、高さ１ｍｍ以上の足をつける。
足の形状は下面の周囲全面を取り巻く必要はなく、安定性を確保するために中心角で１２０度離れた３点でよい。
一例として、円形直径内径２１ｃｍ、深さ内径５ｃｍ、容器厚さ４ｍｍ
足高さ３ｍｍ、足直径１ｃｍ×３ｃｍの楕円形、３個【０００６】この容器に食材を入れ電子レンジ庫内に入れる。
ターンテーブルありであっても、なしであっても、電子レンジ用調理容器とターンテーブルあるいは庫内下面との間に３ｍｍ程度の空間ができる。
空気の誘電損失係数は０であるから、マイクロ波はこの空間を自由に通過し、食材の全面から加熱することが出来る。
【発明の効果】
【０００７】  以上述べたごとく、本発明方法によれば、加熱むらの減少が実用的に効果あるものとして認められた。
商品化して好評を得ている。
平成１７年の販売実績は、４４，２２４個である。
【請求項１について説明】
【０００８】この調理容器が安定するための足は、中心角で１２０度離れた位置に３点、形状は丸い点であれば十分であり、合理的である。
しかし、外径に近いところで円周にそって、適当な長さのある足であれば２点で目的を実現できるので、請求項１で「２個以上」とした。
【図面の簡単な説明】
【０００９】
【図１】  この発明における電子レンジ用足つき調理容器の上面から見た平面図である。
【図２】  電子レンジ用足つき調理容器の下面から見た平面図である。
【図３】  電子レンジ用足つき調理容器の側面図である。
【符号の説明】
１    容器の外側壁の上部縁
２    容器の内側壁の上部縁
３    容器の内側壁面と内側底面の屈折点
４    容器の内部底面
５    容器の外部底面
６    足の突起部分
７    容器の側壁の上縁
８    容器の外側壁
９    容器の外側底面
１０  容器の外側壁面と外側底面の屈折点
【手続補正２】
【補正対象書類名】図面
【補正対象項目名】全図
【補正方法】変更
【補正の内容】
【図１】
2008012260.tif 000007
【図２】
2008012260.tif 000008
【図３】
2008012260.tif 000009